(57)【特許請求の範囲】
【請求項１】
圃場の根菜列にそって走行機台（１）を前進させると、根菜の茎葉部（ｂ）は前処理装置（６）によって掻上げられ、土壌中に侵入するサブソイラ（７）の振動によって根部（ａ）が浮き上がり茎葉部（ｂ）が引き抜き搬送帯（２）に挟持されて引き上げられ後上方に向けて搬送され、このときカッター（４）は下向きの押圧力が付与されて土壌表面の高低差に追従し、土壌被膜（３）に切込んで切開し掘り取り側とそうでない側とに縦割りしていく根菜収穫機の土壌被膜処理装置であって、
前記走行機台（１）の一側に、前処理装置（６）とサブソイラ（７）と引き抜き搬送帯（２）を設け、他側に操縦部（Ａ）と縦搬送帯（８）を配設し、引き抜き搬送帯（２）の終端部下方に始端部を位置させるとともに終端部を縦搬送帯（８）の始端部上に位置させた根部搬送帯（９ａ）と、この根部搬送帯（９ａ）に並設して終端側が縦搬送帯（８）の上方を横切る茎葉部搬送帯（９ｂ）とから成る横搬送帯（９）を横架し、
前記引き抜き搬送帯（２）の終端部近くでこの搬送帯（２）の上側に、茎葉部（ｂ）を挟持して吊持状態で搬送されてくる根菜の茎葉部（ｂ）を荒切りするカッター（１０）と、このカッター（１０）によって荒切りされた切断葉を受継いで搬出するベルトコンベヤ（１１）を設け、前記根部搬送帯（９ａ）と茎葉部搬送帯（９ｂ）による搬送の途中に、茎葉部（ｂ）を仕上げ切りするカッター（１２）を取付け、茎葉部搬送帯（９ｂ）の下方にコンテナ（１３）を配置し、
前記土壌被膜（３）に切込んで切開するカッター（４）によって切開した土壌被膜（３）を巻き取る巻取リール（５）は、前記カッター（４）後方の走行機台（１）の一側に装着され、円盤（２７）の回転軸芯部から等距離離れた箇所から数本の棒体（２８）が外側方に突設され各突出先端部が止着板（２９）にそれぞれ溶着された截頭円錐形の巻取り部（５ｂ）から形成されていることを特徴とする根菜収穫機の土壌被膜処理装置。
【請求項２】
前処理装置（６）とサブソイラ（７）と引き抜き搬送帯（２）はシリンダー装置（１５）により一体となって軸（１６）を支点にして上下調節可能として、サブソイラ（７）の土壌中への侵入深さを調節することを特徴とする請求項1記載の根菜収穫機の土壌被膜処理装置。
【請求項３】
前記コンテナ（１３）に、地面上に降ろしたり地面上のものの積み込みができる積み込み機構（１７）を設けたことを特徴とする請求項１記載の根菜収穫機の土壌被膜処理装置。
【請求項４】
上記積み込み機構（１７）に作業者用の背もたれ（１８ａ）付きのステップ（１８）を付設し、該ステップ（１８）は、前記の縦搬送帯（８）により搬送されたものを作業者によってコンテナ（１３）内に収納するためのステップ（１８）とすることを特徴とする請求項３記載の根菜収穫機の土壌被膜処理装置。
【請求項５】
前記前記土壌被膜（３）に切込んで切開するカッター（４）は、引き抜き搬送帯（２）の支持構体（１９）の始端側外側部に溶着した取付板（２０）に締合ボルト（２１）により取付けて垂設する支持杆（２２）の下端に中途部を樞着した揺動杆（２３）の下端に遊転自在に装着され、揺動杆（２３）上端側と支持杆（２２）の間に引張スプリング（２４）を介装して前記カッター（４）に下向きの押圧力を付与し、また、前記締合ボルト（２１）を抜いて差し替えることによって支持杆（２２）の垂下長が変更して前記カッター（４）が上下に調節可能になっていることを特徴とする請求項１記載の根菜収穫機の土壌被膜処理装置。
【請求項６】
上記揺動杆（２３）の揺動範囲を規制するストッパー（２５）（２６）が設けられていることを特徴とする請求項５記載の根菜収穫機の土壌被膜処理装置。
【請求項７】
上記巻取リール（５）へ巻き取る土壌被膜（３）のガイドの役目は、巻取リール（５）の後方に設けるところの横軸ローラ（３１）と、その横軸ローラ（３１）の前側に間隔をあけて設けた２本の縦軸ローラ（３２）（３２）とによって行わせることを特徴とする請求項１記載の根菜収穫機の土壌被膜処理装置。
【請求項８】
走行機台（１）に溶着した縦杆（３３）の下端から横杆（３４）を外側方に向けて突設し、その横杆（３４）の外端部にくの字形取付板（３５）の屈曲部を溶着するとともに、横杆（３４）の基部から後上方に向け取付板（３６）を突設して、各取付板（３５）（３６）の上端部との間に前記横軸ローラ（３１）を遊転自在に装着し、前記横杆（３４）の前面に縦のローラ軸（３７）（３７）を間隔をあけて立設して、このローラ軸（３７）（３７）に縦軸ローラ（３２）（３２）が遊転自在に装着されていることを特徴とする請求項７記載の根菜収穫機の土壌被膜処理装置。
【請求項９】
前記巻取リール（５）に電動モータ（Ｍ）からの回転動力を断続するクラッチ機構（Ｃ）を設け、該クラッチ機構（Ｃ）は、スイッチ（Ｓ）のＯＮにより電動モータ（Ｍ）への通電を「切」して回転を停止し、ＯＦＦにより通電して電動モータ（Ｍ）を起動するようにすると共に、
上記スイッチ（Ｓ）のＯＮ・ＯＦＦの作動は、前記横杆（３４）の基部に縦溝（３８ａ）を形成した扇形状の板体（３８）を溶着して、前記くの字形取付板（３５）の下端に外端側を嵌合したクラッチ棒（３９）の内端側を前記縦溝（３８ａ）に挿通して巻取リール（５）の巻取り部（５ｂ）に巻き取る土壌被膜（３）の緊張力によってクラッチ棒（３９）が上動して接触することによりＯＮし、下動によりＯＦＦするようにしていることを特徴とする請求項８記載の根菜収穫機の土壌被膜処理装置。
【請求項１０】
巻取りが進行して巻取り部（５ｂ）が径大になるなどして機体の前進速度よりも巻取り速度が速くなると、巻取られる土壌被膜（３ａ）の緊張力が強になりクラッチ棒（３９）が上動してクラッチ棒（３９）の内端側がスイッチ（Ｓ）に接触しクラッチ機構（Ｃ）は「切」して巻取りを停止し、そして、この停止によって前記の緊張力が弱くなるとクラッチ棒（３９）は下動しクラッチ機構（Ｃ）は「入」して巻取りを再開することを特徴とする請求項９記載の根菜収穫機の土壌被膜処理装置。
【請求項１１】
土壌被膜（３ａ）が掘り取りと同時に回収されると共に、一旦クラッチ機構（Ｃ）により巻取りを停止すればタイマーを介して一定時間経過後に巻取りを再開するようにすることを特徴とする請求項９記載の根菜収穫機の土壌被膜処理装置。
【請求項１２】
機体の前進速度に巻取リール（５）の巻取り速度を同調させることを特徴とする請求項９記載の根菜収穫機の土壌被膜処理装置。
【請求項１３】
根菜収穫機のサブソイラ（７）は偏心機構（４０）によって振動しながらシリンダー装置（１５）により上下動して土壌中への侵入深さが調節され、その調節の目印としてのマーカー（４１）が取付けられ、掘り取り時における前方からの過負荷に対してシャーピン（４２）が折損し、軸（４３）を支点にして回動することによりサブソイラ（７）の上部がスイッチ（４４）に接当し、スイッチのＯＮによりエンジンを停止することを特徴とする請求項１記載の根菜収穫機の土壌被膜処理装置。
【請求項１４】
走行機台（１）に搭載するエンジン（Ｅ）は、そのマフラー（４５）を走行機台（１）の一側の掘り取り側と反対側に延出して排気するようにしていることを特徴とする請求項１記載の根菜収穫機の土壌被膜処理装置。
【発明の詳細な説明】
【０００１】
【発明の属する技術分野】
本発明は、圃場で大根や人参等の根菜を掘り取って収穫する根菜収穫機の土壌被膜処理装置に関するものである。
【０００２】
【従来の技術】
従来、走行機台に植立する根菜の根部を浮き上がらせるサブソイラと、その茎葉部を挟持して斜め後上方に引き上げる引き抜き搬送帯を設けて、機体の前進により根菜を掘り取って走行機台に載置するコンテナに収納する根菜収穫機は公知である。
【０００３】
【発明が解決しようとする課題】
このように、圃場で根菜を掘り取って収穫する根菜収穫機なるものは、従来公知であるが、この公知のものは、土壌の温度を適温にし水分を保ちながら雑草の生長を抑えて根菜の成育を促進するため用いた土壌被膜を掘り取る前に手作業で取り除かなければならず、労力を要して能率を上げることができないという問題点があった。
【０００４】
【課題を解決するための手段】
本発明は、上記課題を達成するために、下記の手段を講じた。
請求項１記載の根菜収穫機の土壌被膜処理装置は、圃場の根菜列にそって走行機台（１）を前進させると、根菜の茎葉部（ｂ）は前処理装置（６）によって掻上げられ、土壌中に侵入するサブソイラ（７）の振動によって根部（ａ）が浮き上がり茎葉部（ｂ）が引き抜き搬送帯（２）に挟持されて引き上げられ後上方に向けて搬送され、このときカッター（４）は下向きの押圧力が付与されて土壌表面の高低差に追従し、土壌被膜（３）に切込んで切開し掘り取り側とそうでない側とに縦割りしていく根菜収穫機の土壌被膜処理装置であって、
前記走行機台（１）の一側に、前処理装置（６）とサブソイラ（７）と引き抜き搬送帯（２）を設け、他側に操縦部（Ａ）と縦搬送帯（８）を配設し、引き抜き搬送帯（２）の終端部下方に始端部を位置させるとともに終端部を縦搬送帯（８）の始端部上に位置させた根部搬送帯（９ａ）と、この根部搬送帯（９ａ）に並設して終端側が縦搬送帯（８）の上方を横切る茎葉部搬送帯（９ｂ）とから成る横搬送帯（９）を横架し、
前記引き抜き搬送帯（２）の終端部近くでこの搬送帯（２）の上側に、茎葉部（ｂ）を挟持して吊持状態で搬送されてくる根菜の茎葉部（ｂ）を荒切りするカッター（１０）と、このカッター（１０）によって荒切りされた切断葉を受継いで搬出するベルトコンベヤ（１１）を設け、前記根部搬送帯（９ａ）と茎葉部搬送帯（９ｂ）による搬送の途中に、茎葉部（ｂ）を仕上げ切りするカッター（１２）を取付け、茎葉部搬送帯（９ｂ）の下方にコンテナ（１３）を配置し、
前記土壌被膜（３）に切込んで切開するカッター（４）によって切開した土壌被膜（３）を巻き取る巻取リール（５）は、前記カッター（４）後方の走行機台（１）の一側に装着され、円盤（２７）の回転軸芯部から等距離離れた箇所から数本の棒体（２８）が外側方に突設され各突出先端部が止着板（２９）にそれぞれ溶着された截頭円錐形の巻取り部（５ｂ）から形成されていることを特徴とする。
【０００５】
請求項２記載の根菜収穫機の土壌被膜処理装置は、請求項１記載の根菜収穫機の土壌被膜処理装置において、前処理装置（６）とサブソイラ（７）と引き抜き搬送帯（２）はシリンダー装置（１５）により一体となって軸（１６）を支点にして上下調節可能として、サブソイラ（７）の土壌中への侵入深さを調節することを特徴とする。
請求項３記載の根菜収穫機の土壌被膜処理装置は、請求項１記載の根菜収穫機の土壌被膜処理装置において、前記コンテナ（１３）に、地面上に降ろしたり地面上のものの積み込みができる積み込み機構（１７）を設けたことを特徴とする。
請求項４記載の根菜収穫機の土壌被膜処理装置は、請求項３記載の根菜収穫機の土壌被膜処理装置において、上記積み込み機構（１７）に作業者用の背もたれ（１８ａ）付きのステップ（１８）を付設し、該ステップ（１８）は、前記の縦搬送帯（８）により搬送されたものを作業者によってコンテナ（１３）内に収納するためのステップ（１８）とすることを特徴とする。
請求項５記載の根菜収穫機の土壌被膜処理装置は、請求項１記載の根菜収穫機の土壌被膜処理装置において、前記土壌被膜（３）に切込んで切開するカッター（４）は、引き抜き搬送帯（２）の支持構体（１９）の始端側外側部に溶着した取付板（２０）に締合ボルト（２１）により取付けて垂設する支持杆（２２）の下端に中途部を樞着した揺動杆（２３）の下端に遊転自在に装着され、揺動杆（２３）上端側と支持杆（２２）の間に引張スプリング（２４）を介装して前記カッター（４）に下向きの押圧力を付与し、また、前記締合ボルト（２１）を抜いて差し替えることによって支持杆（２２）の垂下長が変更して前記カッター（４）が上下に調節可能になっていることを特徴とする。
請求項６記載の根菜収穫機の土壌被膜処理装置は、請求項５記載の根菜収穫機の土壌被膜処理装置において、上記揺動杆（２３）の揺動範囲を規制するストッパー（２５）（２６）が設けられていることを特徴とする。
【０００６】
請求項７記載の根菜収穫機の土壌被膜処理装置は、請求項１記載の根菜収穫機の土壌被膜処理装置において、上記巻取リール（５）へ巻き取る土壌被膜（３）のガイドの役目は、巻取リール（５）の後方に設けるところの横軸ローラ（３１）と、その横軸ローラ（３１）の前側に間隔をあけて設けた２本の縦軸ローラ（３２）（３２）とによって行わせることを特徴とする。
請求項８記載の根菜収穫機の土壌被膜処理装置は、請求項７記載の根菜収穫機の土壌被膜処理装置において、走行機台（１）に溶着した縦杆（３３）の下端から横杆（３４）を外側方に向けて突設し、その横杆（３４）の外端部にくの字形取付板（３５）の屈曲部を溶着するとともに、横杆（３４）の基部から後上方に向け取付板（３６）を突設して、各取付板（３５）（３６）の上端部との間に前記横軸ローラ（３１）を遊転自在に装着し、前記横杆（３４）の前面に縦のローラ軸（３７）（３７）を間隔をあけて立設して、このローラ軸（３７）（３７）に縦軸ローラ（３２）（３２）が遊転自在に装着されていることを特徴とする。
請求項９記載の根菜収穫機の土壌被膜処理装置は、請求項８記載の根菜収穫機の土壌被膜処理装置において、前記巻取リール（５）に電動モータ（Ｍ）からの回転動力を断続するクラッチ機構（Ｃ）を設け、該クラッチ機構（Ｃ）は、スイッチ（Ｓ）のＯＮにより電動モータ（Ｍ）への通電を「切」して回転を停止し、ＯＦＦにより通電して電動モータ（Ｍ）を起動するようにすると共に、
上記スイッチ（Ｓ）のＯＮ・ＯＦＦの作動は、前記横杆（３４）の基部に縦溝（３８ａ）を形成した扇形状の板体（３８）を溶着して、前記くの字形取付板（３５）の下端に外端側を嵌合したクラッチ棒（３９）の内端側を前記縦溝（３８ａ）に挿通して巻取リール（５）の巻取り部（５ｂ）に巻き取る土壌被膜（３）の緊張力によってクラッチ棒（３９）が上動して接触することによりＯＮし、下動によりＯＦＦするようにしていることを特徴とする。
請求項１０記載の根菜収穫機の土壌被膜処理装置は、請求項９記載の根菜収穫機の土壌被膜処理装置において、巻取りが進行して巻取り部（５ｂ）が径大になるなどして機体の前進速度よりも巻取り速度が速くなると、巻取られる土壌被膜（３ａ）の緊張力が強になりクラッチ棒（３９）が上動してクラッチ棒（３９）の内端側がスイッチ（Ｓ）に接触しクラッチ機構（Ｃ）は「切」して巻取りを停止し、そして、この停止によって前記の緊張力が弱くなるとクラッチ棒（３９）は下動しクラッチ機構（Ｃ）は「入」して巻取りを再開することを特徴とする。
請求項１１記載の根菜収穫機の土壌被膜処理装置は、請求項９記載の根菜収穫機の土壌被膜処理装置において、土壌被膜（３ａ）が掘り取りと同時に回収されると共に、一旦クラッチ機構（Ｃ）により巻取りを停止すればタイマーを介して一定時間経過後に巻取りを再開するようにすることを特徴とする。
請求項１２記載の根菜収穫機の土壌被膜処理装置は、請求項９記載の根菜収穫機の土壌被膜処理装置において、機体の前進速度に巻取リール（５）の巻取り速度を同調させることを特徴とする。
【０００７】
請求項１３記載の根菜収穫機の土壌被膜処理装置は、請求項１記載の根菜収穫機の土壌被膜処理装置において、根菜収穫機のサブソイラ（７）は偏心機構（４０）によって振動しながらシリンダー装置（１５）により上下動して土壌中への侵入深さが調節され、その調節の目印としてのマーカー（４１）が取付けられ、掘り取り時における前方からの過負荷に対してシャーピン（４２）が折損し、軸（４３）を支点にして回動することによりサブソイラ（７）の上部がスイッチ（４４）に接当し、スイッチのＯＮによりエンジンを停止することを特徴とする。
請求項１４記載の根菜収穫機の土壌被膜処理装置は、請求項１記載の根菜収穫機の土壌被膜処理装置において、走行機台（１）に搭載するエンジン（Ｅ）は、そのマフラー（４５）を走行機台（１）の一側の掘り取り側と反対側に延出して排気するようにしていることを特徴とする。
【０００８】
【発明の実施の形態】
【実施例】
以下、本発明を実施例図に基づいて説明するのであるが、この例図に示す根菜収穫機の概要を先ず記載すると、走行機台（１）の一側に前処理装置（６）とサブソイラ（７）と引き抜き搬送帯（２）を設け、他側に操縦部（Ａ）と縦搬送帯（８）を配設し、引き抜き搬送帯（２）の終端部下方に始端部を位置させるとともに終端部を縦搬送帯（８）の始端部上に位置させた根部搬送帯（９ａ）と、この根部搬送帯（９ａ）に並設して終端側が縦搬送帯（８）の上方を横切る茎葉部搬送帯（９ｂ）とから成る横搬送帯（９）を横架し、前記引き抜き搬送帯（２）の終端部近くでこの搬送帯（２）の上側に、茎葉部（ｂ）を挟持して吊持状態で搬送されてくるものの茎葉部（ｂ）を荒切りするカッター（１０）と、このカッター（１０）によって荒切りされた切断葉を受継いで搬出するベルトコンベヤ（１１）を設け、前記根部搬送帯（９ａ）と茎葉部搬送帯（９ｂ）による搬送の途中に茎葉部（ｂ）を仕上げ切りするデイスク式のカッター（１２）を取付け、茎葉部搬送帯（９ｂ）の下方にコンテナ（１３）を載置している。
【０００９】
即ち、前処理装置（６）で植立する根菜の茎葉部（ｂ）が掻上げられるとともにサブソイラ（７）の振動によって根部（ａ）が浮き上がり茎葉部（ｂ）が引き抜き搬送帯（２）により挟持されて引き上げられ吊持状態で後上方に搬送され、終端部近くでカッター（１０）により茎葉部（ｂ）が荒切りされてその切除葉はベルトコンベヤ（１１）により後方に搬出され、根部（ａ）側はローラ（１４）（１４）に順次接当し根部搬送帯（９ａ）と茎葉部搬送帯（９ｂ）上に横倒れ状態に載置されて他側に送られ、その搬送の途中でカッター（１２）により茎葉部（ｂ）が仕上げ切りされて、根部（ａ）側は縦搬送帯（８）に受継がれ切断された葉は茎葉部搬送帯（９ｂ）により縦搬送帯（８）の上方を通過して外側方に排出され、縦搬送帯（８）に受継がれた根部（ａ）側は後方に向けて搬送ののち作業者によりコンテナ（１３）内に収納されるようになる。
【００１０】
そして、前記の前処理装置（６）とサブソイラ（７）と引き抜き搬送帯（２）はシリンダー装置（１５）により一体となって軸（１６）を支点にして上下調節可能でサブソイラ（７）の土壌中への侵入深さを調節し、コンテナ（１３）は積み降ろし機構（１７）によって地面上に降ろしたり地面上のものの積み込みができるようになり、（１８）はこの積み込み機構（１７）に附設した作業者用の背もたれ（１８ａ）付きのステップであって、前記の縦搬送帯（８）により搬送されたものはこのステップ（１８）上に立つ作業者によってコンテナ（１３）内に収納されるのである。
【００１１】
次に、（４）はポリマルチのような土壌被膜（３）を切開する円盤状のカッターで、土壌表面に切込んで転動することにより土壌被膜（３）を切開していくのであって、「図１」〜「図３」に示すように、引き抜き搬送帯（２）の支持構体（１９）の始端側外側部に溶着した取付板（２０）に締合ボルト（２１）により取付けて垂設する支持杆（２２）の下端に中途部を樞着した揺動杆（２３）の下端に遊転自在に装着され、揺動杆（２３）上端側と支持杆（２２）の間に引張スプリング（２４）を介装してカッター（４）に下向きの押圧力を付与し、また、前記締合ボルト（２１）を抜いて差し替えることによって支持杆（２２）の垂下長が変更してカッター（４）が上下に調節可能になっている。
なお、（２５）（２６）は揺動杆（２３）の揺動範囲を規制するストッパーである。
【００１２】
また、（５）は前記カッター（４）によって切開した土壌被膜（３）を巻き取る巻取リールで、「図１」と「図４」〜「図６」に示してあるように、カッター（４）後方の走行機台（１）の一側に装着され、円盤（２７）の回転軸芯部から等距離離れた箇所から数本（例図では６本）の棒体（２８）を外側方に突設し各突出先端部を止着板（２９）にそれぞれ溶着して截頭円錐形の巻取り部（５ｂ）を形成し、巻取リール（５）は電動モータ（Ｍ）からチエンケース（３０）内のチエンによって矢印（イ）方向に回転し、その巻取リール（５）の軸（５ａ）は機体の進行方向に対して直交している。
【００１３】
そして、この巻取リール（５）へ巻き取る土壌被膜（３）のガイドの役目は、巻取リール（５）の後方に設けるところの横軸ローラ（３１）と、その横軸ローラ（３１）の前側に間隔をあけて設けた２本の縦軸ローラ（３２）（３２）とによって行わせている。
これらの横軸ローラ（３１）と縦軸ローラ（３２）はその全周面にゴム材が焼付けられて遊転自在に装着してあって、走行機台（１）に溶着した縦杆（３３）の下端から横杆（３４）を外側方に向けて突設し、その横杆（３４）の外端部にくの字形取付板（３５）の屈曲部を溶着するとともに、横杆（３４）の基部から後上方に向け取付板（３６）を突設して、各取付板（３５）（３６）の上端部との間に前記横軸ローラ（３１）を遊転自在に装着し、前記横杆（３４）の前面に縦のローラ軸（３７）（３７）を間隔をあけて立設して、このローラ軸（３７）（３７）に縦軸ローラ（３２）（３２）が遊転自在に装着されている。
【００１４】
また、（Ｃ）はこの巻取リール（５）に電動モータ（Ｍ）からの回転動力を断続するクラッチ機構で、スイッチ（Ｓ）のＯＮにより電動モータ（Ｍ）への通電を「切」して回転を停止し、ＯＦＦにより通電して電動モータ（Ｍ）を起動するようにしている。
【００１５】
そして、このスイッチ（Ｓ）のＯＮ・ＯＦＦの作動は、前記横杆（３４）の基部に縦溝（３８ａ）を形成した扇形状の板体（３８）を溶着して、前記くの字形取付板（３５）の下端に外端側を嵌合したクラッチ棒（３９）の内端側を前記縦溝（３８ａ）に挿通して巻取リール（５）の巻取り部（５ｂ）に巻き取る土壌被膜（３）の緊張力によってクラッチ棒（３９）が上動して接触することによりＯＮし、下動によりＯＦＦするようにしている。
【００１６】
圃場における根菜は「図７」に示すように、２列に植栽され土壌表面は土壌被膜（３）で覆われている。そこで、この根菜列にそって機体を前進させると、根菜の茎葉部（ｂ）は前処理装置（６）によって掻上げられ土壌中に侵入するサブソイラ（７）の振動によって根部（ａ）が浮き上がり茎葉部（ｂ）が引き抜き搬送帯（２）に挟持されて引き上げられ後上方に向けて搬送されるようになる。このとき、カッター（４）は「図３」のように下向きの押圧力が付与されて土壌表面の高低差に追従し土壌被膜（３）に切込んで切開し掘り取り側とそうでない側とに縦割りしていくから、「図８」のように、掘り取り側の土壌被膜（３ａ）の端部をクラッチ棒（３９）の下側から横軸ローラ（３１）の後面側にそって引上げ２本の縦軸ローラ（３２）（３２）の間を通して巻取り部（５ｂ）を構成する棒体（２８）間に差し込み電動モータ（Ｍ）により矢印（イ）方向に回転する巻取リール（５）によって、根菜を掘り取ると同時に土壌被膜（３ａ）を巻取って回収する。
【００１７】
また、巻取りが進行して巻取り部（５ｂ）が径大になるなどして機体の前進速度よりも巻取り速度が速くなると、巻取られる土壌被膜（３ａ）の緊張力が強になりクラッチ棒（３９）が上動してクラッチ棒（３９）の内端側がスイッチ（Ｓ）に接触しクラッチ機構（Ｃ）は「切」して巻取りを停止し、そして、この停止によって前記の緊張力が弱くなるとクラッチ棒（３９）は下動しクラッチ機構（Ｃ）は「入」して巻取りを再開するのである。
【００１８】
実施例のものは、このようにして土壌被膜（３ａ）が掘り取りと同時に回収されるのであるが、一旦クラッチ機構（Ｃ）により巻取りを停止すればタイマーを介して一定時間経過後に巻取りを再開するようにしてもよく、また、機体の前進速度に巻取リール（５）の巻取り速度を同調させるように工夫してもよいのである。
【００１９】
なお、根菜収穫機のサブソイラ（７）は「図１０」と「図１１」に示すように偏心機構（４０）によって振動しながら、シリンダー装置（１５）により上下動して土壌中への侵入深さが調節されるのであるが、その調節の目印としてのマーカー（４１）が取付けられており、掘り取り時における前方からの過負荷に対してシャーピン（４２）が折損し軸（４３）を支点にして（ロ）のように回動することによりサブソイラ（７）の上部がスイッチ（４４）に接当しスイッチＯＮによりエンジンを停止するなどの安全対策がとられている。
【００２０】
更に、この根菜収穫機に搭載するエンジン（Ｅ）は、そのマフラー（４５）を走行機台（１）の一側の掘り取り側と反対側に延出して排気するようにしている。
【００２１】
【発明の効果】
本発明によれば、前処理装置（６）で植立する根菜の茎葉部（ｂ）が掻上げられるとともにサブソイラ（７）の振動によって根部（ａ）を浮き上がらせることができ、カッター（４）を土壌表面に切り込ませて転動させることにより土壌被膜（３）を切開できる。
また、本発明によれば、カッター（４）は、上下に調節可能にするとともに、下向きの押圧力を付与することによって、土壌表面に対する切込み深さが調節できるとともに土壌表面の高低差に追従し土壌被膜を確実に切開させることができる。
また、本発明によれば、茎葉部（ｂ）が引き抜き搬送帯（２）により挟持されて引き上げられ吊持状態で後上方に搬送され、終端部近くでカッター（１０）により茎葉部（ｂ）が荒切りされて、その切除葉はベルトコンベヤ（１１）により後方に搬出される。また、根部（ａ）側はローラ（１４）（１４）に順次接当し、根部搬送帯（９ａ）と茎葉部搬送帯（９ｂ）上に横倒れ状態に載置されて他側に送られ、その搬送の途中でカッター（１２）により茎葉部（ｂ）が仕上げ切りされて、根部（ａ）側は縦搬送帯（８）に受継がれ、切断された葉は茎葉部搬送帯（９ｂ）により縦搬送帯（８）の上方を通過して外側方に排出され、縦搬送帯（８）に受継がれた根部（ａ）側は後方に向けて搬送ののち作業者によりコンテナ（１３）内に収納される。
【００２２】
更に、本発明によれば、前処理装置（６）とサブソイラ（７）と引き抜き搬送帯（２）はシリンダー装置（１５）により一体となって軸（１６）を支点にして上下調節可能でサブソイラ（７）の土壌中への侵入深さを調節することができ、更に、コンテナ（１３）は積み降ろし機構（１７）によって地面上に降ろしたり地面上のものの積み込みが可能である。
また、本発明によれば、積み込み機構（１７）に付設した作業者用の背もたれ（１８ａ）付きのステップ（１８）により、縦搬送帯（８）により搬送されたものはこのステップ（１８）上に立つ作業者によってコンテナ（１３）内に収納することができる。
【００２３】
また、本発明によれば、引き抜き搬送帯（２）の支持構体（１９）の始端側外側部に溶着した取付板（２０）に締合ボルト（２１）により取付けて垂設する支持杆（２２）の下端に中途部を樞着した揺動杆（２３）の下端に遊転自在に装着され、揺動杆（２３）上端側と支持杆（２２）の間に引張スプリング（２４）を介装してカッター（４）に下向きの押圧力を付与し、また、前記締合ボルト（２１）を抜いて差し替えることによって、支持杆（２２）の垂下長を変更して、カッター（４）を上下に調節可能とすることができる。
また、本発明によれば、前記カッター（４）によって切開した土壌被膜（３）を巻き取る巻取リール（５）は、カッター（４）後方の走行機台（１）の一側に装着され、円盤（２７）の回転軸芯部から等距離離れた箇所から数本の棒体（２８）を外側方に突設し各突出先端部を止着板（２９）にそれぞれ溶着して截頭円錐形の巻取り部（５ｂ）を形成し、巻取リール（５）は電動モータ（Ｍ）からチエンケース（３０）内のチエンによって回転させることができる。
【００２４】
また、本発明によれば、巻取リール（５）の後方に設ける横軸ローラ（３１）と、該横軸ローラ（３１）の前側に間隔をあけて設けた２本の縦軸ローラ（３２）（３２）とは、巻取リール（５）へ巻き取る土壌被膜（３）のガイドの役目を果たすことができる。
また、本発明によれば、これらの横軸ローラ（３１）と縦軸ローラ（３２）は遊転自在に装着してあって、走行機台（１）に溶着した縦杆（３３）の下端から横杆（３４）を外側方に向けて突設し、その横杆（３４）の外端部にくの字形取付板（３５）の屈曲部を溶着するとともに、横杆（３４）の基部から後上方に向け取付板（３６）を突設して、各取付板（３５）（３６）の上端部との間に前記横軸ローラ（３１）を遊転自在に装着でき、前記横杆（３４）の前面に縦のローラ軸（３７）（３７）を間隔をあけて立設して、このローラ軸（３７）（３７）に縦軸ローラ（３２）（３２）を遊転自在に装着できる。
【００２５】
また、本発明によれば、クラッチ機構（Ｃ）はこの巻取リール（５）に電動モータ（Ｍ）からの回転動力を断続することができ、スイッチ（Ｓ）のＯＮにより電動モータ（Ｍ）への通電を「切」して回転を停止し、ＯＦＦにより通電して電動モータ（Ｍ）を起動するようにし、このスイッチ（Ｓ）のＯＮ・ＯＦＦの作動は、前記横杆（３４）の基部に縦溝（３８ａ）を形成した扇形状の板体（３８）を溶着して、前記くの字形取付板（３５）の下端に外端側を嵌合したクラッチ棒（３９）の内端側を前記縦溝（３８ａ）に挿通して巻取リール（５）の巻取り部（５ｂ）に巻き取る土壌被膜（３）の緊張力によってクラッチ棒（３９）が上動して接触することによりＯＮさせ、下動によりＯＦＦさせることができる。
そして、根菜の茎葉部（ｂ）は前処理装置（６）によって掻上げられ土壌中に侵入するサブソイラ（７）の振動によって根部（ａ）を浮き上がらせることができ、茎葉部（ｂ）が引き抜き搬送帯（２）に挟持されて引き上げられ後上方に向けて搬送させることができる。
【００２６】
また、本発明によれば、カッター（４）は、下向きの押圧力が付与されて土壌表面の高低差に追従し、土壌被膜（３）に切込んで切開し掘り取り側とそうでない側とに縦割りさせることができ、掘り取り側の土壌被膜（３ａ）の端部をクラッチ棒（３９）の下側から横軸ローラ（３１）の後面側にそって引上げ２本の縦軸ローラ（３２）（３２）の間を通して巻取り部（５ｂ）を構成する棒体（２８）間に差し込み電動モータ（Ｍ）により巻取リール（５）によって、根菜を掘り取ると同時に土壌被膜（３ａ）を巻取って回収することができる。
また、本発明によれば、巻取りが進行して巻取り部（５ｂ）が径大になるなどして機体の前進速度よりも巻取り速度が速くなると、巻取られる土壌被膜（３ａ）の緊張力が強になりクラッチ棒（３９）が上動してクラッチ棒（３９）の内端側がスイッチ（Ｓ）に接触しクラッチ機構（Ｃ）は「切」して巻取りを停止し、そして、この停止によって前記の緊張力が弱くなるとクラッチ棒（３９）は下動しクラッチ機構（Ｃ）は「入」して巻取りを再開させることができる。即ち、クラッチ機構（Ｃ）が巻き取る土壌被膜の緊張力により「切」して巻取り中に都合よくクラッチ機構（Ｃ）が切れて、操作の手間を省くとともに土壌被膜が切れて巻取りを中断するようなことがない。
【００２７】
また、本発明によれば、土壌被膜（３ａ）が掘り取りと同時に回収されるのであるが、一旦クラッチ機構（Ｃ）により巻取りを停止すればタイマーを介して一定時間経過後に巻取りを再開させることも可能である。また、機体の前進速度に巻取リール（５）の巻取り速度を同調させることができる。
また、本発明によれば、根菜収穫機のサブソイラ（７）は、振動しながらシリンダー装置（１５）により上下動し、土壌中への侵入深さが調節されるが、その調節の目印としてのマーカー（４１）が取付けられており、掘り取り時における前方からの過負荷に対してシャーピン（４２）が折損し軸（４３）を支点にして回動することにより、サブソイラ（７）の上部がスイッチ（４４）に接当しスイッチＯＮによりエンジンを停止するなどの安全性を向上させることができる。
【図面の簡単な説明】
【図１】根菜収穫機の側面図である。
【図２】土壌被膜を切開するカッターの拡大側面図である。
【図３】同カッターの作用説明図である。
【図４】巻取リールの後方視図である。
【図５】巻き取る土壌皮膜のガイド部とクラッチ機構の後方視図である。
【図６】クラッチ機構の側面図である。
【図７】前方から見た作用説明図である。
【図８】巻取り開始時の作用説明図である。
【図９】クラッチ機構「切」時の作用説明図である。
【図１０】サブソイラ部の側面図である。
【図１１】同サブソイラの前方視図である。
【図１２】エンジン部の後方視図である。
【符号の説明】
Ａ・・・操縦部        Ｃ・・・クラッチ機構      Ｅ・・・エンジン
Ｍ・・・電動モータ    Ｓ・・・スイッチ
ａ・・・根部          ｂ・・・茎葉部
１・・・走行機台      ２・・・（引き抜き）搬送体
３・・・土壌被膜    ３ａ・・・土壌被膜（掘り取り側）
４・・・カッター
５・・・巻取リール  ５ａ・・・軸            ５ｂ・・・巻取り部
６・・・前処理装置    ７・・・サブソイラ      ８・・・縦搬送帯
９・・・横搬送帯    ９ａ・・・根部搬送帯    ９ｂ・・・茎葉部搬送帯
１０・・カッター    １１・・ベルトコンベヤ  １２・・カッター
１３・・コンテナ    １４・・ローラ          １５・・シリンダー装置
１６・・軸          １７・・積み降ろし機構
１８・・ステップ    １８ａ・・背もたれ      １９・・支持構体
２０・・取付板      ２１・・締合ボルト      ２２・・支持杆
２３・・揺動杆      ２４・・引張スプリング  ２５，２６・・ストッパー
２７・・円盤        ２８・・棒体            ２９・・止着板
３０・・チエンケース  ３１・・横軸ローラ    ３２・・縦軸ローラ
３３・・縦杆        ３４・・横杆            ３５・・くの字形取付板
３６・・取付板      ３７・・ローラ軸
３８・・板体        ３８ａ・・縦溝          ３９・・クラッチ棒
４０・・偏心機構    ４１・・マーカー        ４２・・シャーピン
４３・・折損し軸    ４４・・スイッチ        ４５・・マフラー
【図１】
0003540267.tif 000002
【図２】
0003540267.tif 000003
【図３】
0003540267.tif 000004
【図４】
0003540267.tif 000005
【図５】
0003540267.tif 000006
【図６】
0003540267.tif 000007
【図７】
0003540267.tif 000008
【図８】
0003540267.tif 000009
【図９】
0003540267.tif 000010
【図１０】
0003540267.tif 000011
【図１１】
0003540267.tif 000012
【図１２】
0003540267.tif 000013